(57)【特許請求の範囲】
【請求項１】
先行して完成したコンクリート躯体の周囲に、埋め戻し材による埋め戻し作業と前記埋め戻し材の再掘削作業とを要する現場において用いる、コンクリート躯体の養生容器であって、
前記躯体の周囲を包囲して、該枠体の周囲に埋め戻される埋め戻し材の衝突に抵抗する強度を備えた、枠体と、
前記躯体の表面と前記枠体の内面との間の隙間に介在させ、前記埋め戻し材の土圧に抵抗して前記隙間を保持可能な強度を備えてあり、さらに前記躯体の表面を傷つけないための緩衝部を有するスペーサーと、で構成した、
コンクリート躯体の養生容器。
【請求項２】
先行して完成したコンクリート躯体の周囲に、埋め戻し材による埋め戻し作業と前記埋め戻し材の再掘削作業とを要する現場での、コンクリート躯体の養生方法であって、
前記埋め戻し材の埋め戻し作業前の前記コンクリート躯体の周囲に、請求項１に記載の養生容器を設置し、
前記埋め戻し材の再掘削作業が完了したあとに、前記養生容器を撤去することを特徴とする、
コンクリート躯体の養生方法。
【請求項３】
前記養生容器を設置し、該養生容器からの逸水を阻止した状態とした後に、前記隙間に水を充填して前記躯体を養生することを特徴とする、
請求項２に記載のコンクリートの養生方法。
【発明の詳細な説明】
【技術分野】
【０００１】
本発明はコンクリートの養生容器と養生方法に関するものであり、特に躯体を構築し、一度埋戻し、その後に掘削して発注者に引き渡す場合に採用できる養生容器と養生方法に関するものである。
【背景技術】
【０００２】
コンクリートの養生方法としては各種の装置が開発されている。
【特許文献１】特願２０００−８０７９８号公報
【発明の概要】
【発明が解決しようとする課題】
【０００３】
前記した特許文献１記載のコンクリートの養生方法にあっては、次のような問題点がある。
＜イ＞  特許文献１記載の養生方法は、基礎コンクリートを養生シートで被覆した状態で、その上部に建物本体の施工を行って住宅建物を完成させる方法である。
＜ロ＞  そのために、養生シートによる基礎コンクリートの養生効果を有効に行うことができるとともに、住宅建物をお客様に引き渡す直前まで基礎の汚れやキズを防止して品質に優れた商品を提供することができるという効果を有するが、しかしこの状態で埋戻しを行った場合には砕石、礫などによってシートが破損し、コンクリートを傷付ける事故を阻止することはできない。
＜ハ＞  また、養生シートなどがコンクリートの表面に付着してそれが汚れとなり、引き渡し時に商品価値を低下させる原因ともなる。
【課題を解決するための手段】
【０００４】
上記のような課題を解決した本発明のコンクリートの養生容器は、先行して完成したコンクリート躯体の周囲に、埋め戻し材による埋め戻し作業と前記埋め戻し材の再掘削作業とを要する現場において用いる、コンクリート躯体の養生容器であって、前記躯体の周囲を包囲して、該枠体の周囲に埋め戻される埋め戻し材の衝突に抵抗する強度を備えた、枠体と、前記躯体の表面と前記枠体の内面との間の隙間に介在させ、前記埋め戻し材の土圧に抵抗して前記隙間を保持可能な強度を備えてあり、さらに前記躯体の表面を傷つけないための緩衝部を有するスペーサーと、で構成したことを特徴とするものである。
また本発明の養生方法は、先行して完成したコンクリート躯体の周囲に、埋め戻し材による埋め戻し作業と前記埋め戻し材の再掘削作業とを要する現場での、コンクリート躯体の養生方法であって、前記埋め戻し材の埋め戻し作業前の前記コンクリート躯体の周囲に、前記の養生容器を設置し、前記埋め戻し材の再掘削作業が完了したあとに、前記養生容器を撤去することを特徴とするものである。
また本発明の養生方法は、前記方法において、前記養生容器を設置し、該養生容器からの逸水を阻止した状態とした後に、前記隙間に水を充填して前記躯体を養生することを特徴とするものである。
【発明の効果】
【０００５】
本発明のコンクリートの養生容器と養生方法は以上説明したようになるから次のような効果のいずれかを得ることができる。
＜イ＞  先行して完成したコンクリート躯体の周囲を枠体で包囲するから、埋戻しの場合に外部から礫や砕石が衝突しても枠体を傷つけるだけでコンクリート躯体が傷つくことがない。
＜ロ＞  したがって再度、周囲の埋戻し材料を掘削した場合に、無傷の状態のコンクリート躯体が維持されており、これを発注者に引き渡すことができる。
＜ハ＞  躯体の表面と枠体との間に水を充填すれば、コンクリート躯体を積極的に湿潤養生することができ、埋戻し前の比べて強度、耐久性、水密性が向上したコンクリート製品を提供することができる。
【図面の簡単な説明】
【０００６】
【図１】本発明のコンクリートの養生容器の実施例の説明図。
【図２】養生方法の説明図。
【発明を実施するための形態】
【０００７】
以下図面を参照しながら本発明のコンクリートの養生容器と養生方法の実施例を説明する。
【実施例】
【０００８】
＜１＞全体の構成
本発明のコンクリートの養生容器Ｂは、養生対象物である躯体Ａを包囲する枠体１とスペーサー２によって構成する。
【０００９】
＜２＞枠体
枠体１は、木製、鋼製、合成樹脂製の板を組み合わせて構成したものであり、平面視の断面が、躯体Ａの断面と相似形の筒体である。
枠体１は、埋戻し時に礫や砕石が衝突しても容易に破損しない程度の強度を備えていることが必要である。
この枠体１を、先行して完成したコンクリート躯体Ａの周囲を包囲するように構成するから、躯体Ａの水平断面が矩形であれば、通常４面の板体を組み合わせて構成することができる。
枠体１の内側の水平断面形状は、躯体Ａの水平断面形状よりも一定の幅だけ大きく構成する。
【００１０】
＜３＞枠体の水密性
枠体１は上記したようにコンクリート躯体Ａの周囲を包囲する部材であるが、躯体Ａと枠体１の間に水を充填させればよりよい養生を行うことができる。
そのために、枠体１を４面の板体で構成した場合に、各板体が水密性を維持するだけでなく、板体と板体の接続部分もまた水密構造として構成する必要がある。
そのために例えば板体の接続部分に防水テープを張り付けたり、防水性のクッション材を取り付ける構成を採用することができる。
さらに、養生容器Ｂの底部分には、枠体１と躯体Ａの間隔に水平方向の底板３を設けるが、底板３と躯体Ａの間の水密性を向上させるために、底板３と躯体Ａとの間にゴム帯のような柔軟性のある止水材４を介在させて養生容器Ｂの底部からの逸水を阻止する。
【００１１】
＜４＞スペーサー
枠体１と、躯体Ａの表面と枠体１の内面との間にはスペーサー２を介在させる。
そのために枠体１の内側面には、内側向きに複数本のスペーサー２を突出させて設置する。
スペーサー２は基本的には、枠体１に加わる土圧に耐えて、破損することなく間隔を保持できる棒状体である。
スペーサー２はその端面が直接コンクリート躯体Ａに接触するから、スペーサー２の端面は躯体Ａを傷つけない構成を採用する必要がある。
そのために例えばスペーサー２の躯体Ａ側の端面には緩衝材としてビニルなどのクッションを取り付ける。
さらに端面の面積を拡大して受圧面積を大きくし、躯体Ａへの荷重や衝撃を分散させるとよい。
【００１２】
＜５＞養生蓋
後述するように、躯体Ａと枠体１の間隔に水を充填するとよりよい養生を行うことができる。
その場合に充填した水の蒸発を抑制するためと、上部から隙間に土砂などが入ることを阻止するために、養生蓋５を設ける場合もある。
この養生蓋５は、躯体Ａと枠体１との間隔に設置する面状体であり、水面の上面を覆うものであって、躯体Ａと枠体１との間の隙間の幅と長さを備えた板体によって構成することができる。
この養生蓋５の一部に開口部５１を設けておけば、長期間の養生によって水が減少した場合にその開口部から水を補給することができる。
【００１３】
＜６＞養生方法
次に上記の養生容器を使用した養生方法について説明する。
【００１４】
＜７＞枠体の設置
先行して構築の終わったコンクリート躯体Ａの基部を埋め戻すに際して、埋戻し前に上記の養生容器Ｂで躯体Ａの周囲を包囲する。
包囲に際しては板体を、躯体Ａの周囲に配置して釘などで断面が躯体Ａと相似形の筒体である養生容器Ｂを組み立てる。
この枠体１の高さは、躯体Ａを埋め戻す土砂の面よりも上の位置まで設定して砕石や礫が躯体Ａに衝突する場合の防護として機能させる。
【００１５】
＜８＞間隔の保持
前記したように枠体１を構成する板体の内側には、内向きに複数本のスペーサー２が突設している。
したがって枠体１を組み立てた場合に、スペーサー２の先端は躯体Ａの表面に接触する寸法に設置しておく。
すると枠体１は、躯体Ａとの間にスペーサー２の寸法だけ離れた状態で設置することになる。
【００１６】
＜９＞水による養生
止水性の維持された枠体１と、躯体Ａとの間隔に水を充填する。
すると枠体１で包囲された躯体Ａの基部は常に水で養生されることになる。
この水も、長期間の養生の間に蒸発するので、躯体Ａと枠体１との間に養生蓋５を設置して蒸発を抑制する。
それでも逸水して水位が低下したら、養生蓋５の開口部５１から水を補給すればよい。
【００１７】
＜１０＞土砂の混入の阻止
躯体Ａと枠体１との間に養生蓋５を設置すると、養生水の蒸発を阻止できるだけではなく、埋戻し土砂が躯体Ａと枠体１との間に混入することを阻止することもできる。
したがって躯体Ａの基部はまったく損傷を受けることがない。
【００１８】
＜１１＞躯体基部の埋戻し
上記の行程の後に、躯体Ａの基部はいったん土砂によって埋め戻す。
その際にすでに躯体Ａの基部は、埋め戻す範囲以上にわたって枠体１が包囲している。
そのために、躯体Ａの基部を埋め戻す際に、土砂に含まれる砕石や礫が枠体１の表面に衝突するが、躯体Ａに直接衝突することがないから、躯体Ａを傷付けることがない。
前記したようにシートを巻きつける程度の養生では、砕石などの衝突による躯体Ａの破損を避けることができない。
こうして長期間にわたって躯体Ａの基部を枠体１によって防護し、かつ養生を行い、その後に再度、埋戻し土砂を掘削して、養生前よりも強度、耐久性、水密性が向上した無傷の状態の躯体Ａを発注者に引き渡す。
【符号の説明】
【００１９】
１：枠体
２：スペーサー
３：底板
４：止水材
５：養生蓋
Ａ：躯体
Ｂ：養生容器
【図１】
0005866251.tif 000002
【図２】
0005866251.tif 000003